(57)【要約】【課題】記憶性を有する表示部を備える装置において消費電力が低いモードからユーザーの操作に応じて復帰する際に、操作に対応した画像を表示する。【解決手段】記憶性を有する表示部を有する表示装置１０は、文書のページの書き換えが終了すると、表示部の表示を書き換えずに低消費電力モードへ移行し、表示部への電力供給を停止する。表示装置１０は、低消費電力モードのときにページ送りの操作がなされると、表示部へ電力を供給し、表示する画面を次のページの画面に書き換える。【選択図】図１
2015222325.tif 000002
【特許請求の範囲】
【請求項１】
記憶性表示部と、ユーザーにより操作される操作部と、オペレーティングシステムと文書の表示を行うアプリケーションとを実行する制御部と、を備える表示装置であって、
記憶性表示部へ電力が供給される第３モードと、前記記憶性表示部への電力供給が停止される第１モードと、前記記憶性表示部への電力供給が停止され、前記第１モードより消費電力が低い第２モードのいずれかが選択され、
前記オペレーティングシステムは、
前記記憶性表示部に表示された文書のページを変更する操作が前記第１モードのときに前記操作部で行われた場合、前記第３モードを選択して前記記憶性表示部へ電力を供給し、当該操作に応じたイベントを前記アプリケーションへ送り、
前記第３モードへ移行する操作が前記第２モードのときに前記操作部で行われた場合、前記第３モードを選択して前記記憶性表示部へ電力を供給し、
前記アプリケーションは、
前記イベントを取得すると、前記記憶性表示部に表示するページを変更する処理を実行する
表示装置。
【請求項２】
記憶性表示部と、ユーザーにより操作される操作部と、オペレーティングシステムと文書の表示を行うアプリケーションとを実行する制御部と、備える表示装置であって、
記憶性表示部へ電力が供給される第３モードと、前記記憶性表示部への電力供給が停止される第１モードと、前記記憶性表示部への電力供給が停止され、前記第１モードより消費電力が低い第２モードのいずれかが選択され、
前記オペレーティングシステムは、
前記第１モードまたは前記第２モードから前記第３モードへ移行する操作が前記操作部で行われた場合、前記記憶性表示部へ電力を供給し、前記アプリケーションのコールバック関数を呼び出し、
前記記憶性表示部に表示された文書のページを変更する操作が行われた場合、当該操作に対応したイベントを前記アプリケーションへ送り、
前記アプリケーションは、
前記コールバック関数が呼び出されたときに前記第２モードである場合、前記第３モードを選択し、前記第２モードを選択したときに前記記憶性表示部に表示されていた画面を前記記憶性表示部に表示させる処理を実行し、
前記コールバック関数が呼び出されたときに前記第１モードである場合、前記第３モードを選択し、
前記イベントを取得した場合、前記記憶性表示部に表示するページを変更する処理を実行する
表示装置。
【請求項３】
前記記憶性表示部に表示するページを変更する処理を実行した後、前記第３モードから前記第１モードに移行させる
請求項１または請求項２に記載の表示装置。
【請求項４】
前記記憶性表示部に表示するページを変更する処理を実行した後、ページの変更に要する所定時間が経過した後で前記第３モードから前記第１モードに移行させる
請求項３に記載の表示装置。
【請求項５】
前記記憶性表示部の画面を書き換える方法として、書き換え時間が異なる複数の方法を有し、当該複数の方法の中から選択している方法に応じて前記所定時間を変更する
請求項４に記載の表示装置。
【請求項６】
記憶性表示部へ電力が供給される第３モードと、前記記憶性表示部への電力供給が停止される第１モードと、前記記憶性表示部への電力供給が停止され、前記第１モードより消費電力が低い第２モードのいずれかが選択され、
オペレーティングシステムは、
前記記憶性表示部に表示された文書のページを変更する操作が前記第１モードのときに操作部で行われた場合、前記第３モードを選択して前記記憶性表示部へ電力を供給し、当該操作に応じたイベントをアプリケーションへ送り、
前記第３モードへ移行する操作が前記第２モードのときに操作部で行われた場合、前記第３モードを選択して前記記憶性表示部へ電力を供給し、
文書の表示を行うアプリケーションは、前記イベントを取得した場合、前記記憶性表示部に表示するページを変更する処理を実行する
表示方法。
【請求項７】
コンピューターに、
記憶性表示部に表示された文書のページを変更する操作が、前記記憶性表示部への電力供給が停止される第１モードのときに操作部で行われた場合、前記記憶性表示部へ電力が供給される第３モードを選択して前記記憶性表示部へ電力を供給し、当該操作に応じたイベントを文書の表示を行うアプリケーションへ送り、
前記第３モードへ移行する操作が、前記記憶性表示部への電力供給が停止されて前記第１モードより消費電力が低い第２モードのときに操作部で行われた場合、前記第３モードを選択して前記記憶性表示部へ電力を供給する
オペレーティングシステム
を実現させるためのプログラム。
【請求項８】
コンピューターに、
記憶性表示部へ電力が供給される第３モードへ移行するときに呼び出されるコールバック関数を呼び出されたときに、前記記憶性表示部への電力供給が停止される第１モードである場合、前記第３モードを選択し、
前記コールバック関数を呼び出されたときに、前記記憶性表示部への電力供給が停止されて前記第１モードより消費電力が低い第２モードである場合、前記第３モードを選択し、前記第２モードを選択したときに前記記憶性表示部に表示されていた画面を前記記憶性表示部に表示させる処理を実行し、
前記記憶性表示部に表示された文書のページを変更する操作が行われたときにオペレーティングシステムから送られるイベントを取得した場合、前記記憶性表示部に表示するページを変更する処理を実行する
アプリケーション
を実現させるためのプログラム。
【発明の詳細な説明】
【技術分野】
【０００１】
本発明は、表示装置、表示方法およびプログラムに関する。
【背景技術】
【０００２】
表示に係る処理を休止させて低消費電力化を図る発明として、例えば特許文献１に開示された携帯機器がある。この携帯機器は、表示されていた画像データを表示メモリーに保持し、描画処理を休止させて低消費電力を図る。また、低消費電力の状態から使用状態に復帰する際には、表示メモリーに保持されていた画像データを再表示する。携帯機器は、低消費電力の状態から使用状態に復帰する際には、前に見ていた画面を再表示するため、使用者が違和感を覚えることがない。
【先行技術文献】
【特許文献】
【０００３】
【特許文献１】特開２００７−４１１４３号公報
【発明の概要】
【発明が解決しようとする課題】
【０００４】
ところで、携帯機器の中には、電子ブックリーダーのように、表示用のディスプレイとして記憶性を有する電気泳動方式の電子ペーパーを備えるものがある。携帯機器のディスプレイが電子ペーパーの場合、電子ペーパーへの電力供給を停止しても、停止する直前に表示されていた画像が表示され続ける。この場合、例えば、低消費電力の状態で文書を表示しているときに文書のページ送りの操作がされると、表示しているページの次のページを表示するのが好ましい。
しかしながら、特許文献１の携帯機器の構成では、低消費電力の状態から使用状態に復帰する際には、既に表示されている画像を再度表示することとなり、ページ送りの操作がなされたにもかかわらず、次のページが表示されず、ユーザーにとって不便となる。
【０００５】
本発明は、上述した事情に鑑みてなされたものであり、その目的の一つは、記憶性を有する表示部を備える装置において消費電力が低いモードからユーザーの操作に応じて復帰する際に、操作に対応した画像を表示することにある。
【課題を解決するための手段】
【０００６】
本発明は、記憶性表示部と、ユーザーにより操作される操作部と、オペレーティングシステムと文書の表示を行うアプリケーションとを実行する制御部と、を備える表示装置であって、記憶性表示部へ電力が供給される第３モードと、前記記憶性表示部への電力供給が停止される第１モードと、前記記憶性表示部への電力供給が停止され、前記第１モードより消費電力が低い第２モードのいずれかが選択され、前記オペレーティングシステムは、前記記憶性表示部に表示された文書のページを変更する操作が前記第１モードのときに前記操作部で行われた場合、前記第３モードを選択して前記記憶性表示部へ電力を供給し、当該操作に応じたイベントを前記アプリケーションへ送り、前記第３モードへ移行する操作が前記第２モードのときに前記操作部で行われた場合、前記第３モードを選択して前記記憶性表示部へ電力を供給し、前記アプリケーションは、前記イベントを取得すると、前記記憶性表示部に表示するページを変更する処理を実行する表示装置を提供する。
本発明によれば、記憶性を有する表示部を備える装置において消費電力が低いモードからユーザーの操作に応じて復帰する際に、操作に対応した画像を表示することができる。
【０００７】
また、本発明は、記憶性表示部と、ユーザーにより操作される操作部と、オペレーティングシステムと文書の表示を行うアプリケーションとを実行する制御部と、備える表示装置であって、記憶性表示部へ電力が供給される第３モードと、前記記憶性表示部への電力供給が停止される第１モードと、前記記憶性表示部への電力供給が停止され、前記第１モードより消費電力が低い第２モードのいずれかが選択され、前記オペレーティングシステムは、前記第１モードまたは前記第２モードから前記第３モードへ移行する操作が前記操作部で行われた場合、前記記憶性表示部へ電力を供給し、前記アプリケーションのコールバック関数を呼び出し、前記記憶性表示部に表示された文書のページを変更する操作が行われた場合、当該操作に対応したイベントを前記アプリケーションへ送り、前記アプリケーションは、前記コールバック関数が呼び出されたときに前記第２モードである場合、前記第３モードを選択し、前記第２モードを選択したときに前記記憶性表示部に表示されていた画面を前記記憶性表示部に表示させる処理を実行し、前記コールバック関数が呼び出されたときに前記第１モードである場合、前記第３モードを選択し、前記イベントを取得した場合、前記記憶性表示部に表示するページを変更する処理を実行する表示装置を提供する。
本発明によれば、記憶性を有する表示部を備える装置において消費電力が低いモードからユーザーの操作に応じて復帰する際に、操作に対応した画像を表示することができる。
【０００８】
本発明においては、前記記憶性表示部に表示するページを変更する処理を実行した後、前記通常モードから前記第１モードに移行させる構成としてもよい。
この構成によれば、表示するページが変更されると第１モードに移行されるため、表示装置の消費電力を抑えることができる。
【０００９】
また、本発明においては、前記記憶性表示部に表示するページを変更する処理を実行した後、ページの変更に要する所定時間が経過した後で前記通常モードから前記第１モードに移行させる構成としてもよい。
この構成によれば、表示するページが変更されて第１モードに移行されるときにページの変更が完了するまでは第１モードに移行されないため、ページの変更を確実に行うことができる。
【００１０】
また、本発明においては、前記記憶性表示部の画面を書き換える方法として、書き換え時間が異なる複数の方法を有し、当該複数の方法の中から選択している方法に応じて前記所定時間を変更する構成としてもよい。
この構成によれば、画面の書き換え方法を変更しても、ページの変更を確実に行うことができる。
【００１１】
また、本発明は、記憶性表示部へ電力が供給される第３モードと、前記記憶性表示部への電力供給が停止される第１モードと、前記記憶性表示部への電力供給が停止され、前記第１モードより消費電力が低い第２モードのいずれかが選択され、オペレーティングシステムは、前記記憶性表示部に表示された文書のページを変更する操作が前記第１モードのときに操作部で行われた場合、前記第３モードを選択して前記記憶性表示部へ電力を供給し、当該操作に応じたイベントをアプリケーションへ送り、前記第３モードへ移行する操作が前記第２モードのときに操作部で行われた場合、前記第３モードを選択して前記記憶性表示部へ電力を供給し、文書の表示を行うアプリケーションは、前記イベントを取得した場合、前記記憶性表示部に表示するページを変更する処理を実行する表示方法を提供する。
本発明によれば、記憶性を有する表示部を備える装置において消費電力が低いモードからユーザーの操作に応じて復帰する際に、操作に対応した画像を表示することができる。
【００１２】
また、本発明は、コンピューターに、記憶性表示部に表示された文書のページを変更する操作が、前記記憶性表示部への電力供給が停止される第１モードのときに操作部で行われた場合、前記記憶性表示部へ電力が供給される第３モードを選択して前記記憶性表示部へ電力を供給し、当該操作に応じたイベントを文書の表示を行うアプリケーションへ送り、前記第３モードへ移行する操作が、前記記憶性表示部への電力供給が停止されて前記第１モードより消費電力が低い第２モードのときに操作部で行われた場合、前記第３モードを選択して前記記憶性表示部へ電力を供給するオペレーティングシステムを実現させるためのプログラムを提供する。
本発明によれば、記憶性を有する表示部を備える装置において消費電力が低いモードからユーザーの操作に応じて復帰する際に、操作に対応した画像を表示することができる。
【００１３】
また、本発明は、コンピューターに、記憶性表示部へ電力が供給される第３モードへ移行するときに呼び出されるコールバック関数を呼び出されたときに、前記記憶性表示部への電力供給が停止される第１モードである場合、前記第３モードを選択し、前記コールバック関数を呼び出されたときに、前記記憶性表示部への電力供給が停止されて前記第１モードより消費電力が低い第２モードである場合、前記第３モードを選択し、前記第２モードを選択したときに前記記憶性表示部に表示されていた画面を前記記憶性表示部に表示させる処理を実行し、前記記憶性表示部に表示された文書のページを変更する操作が行われたときにオペレーティングシステムから送られるイベントを取得した場合、前記記憶性表示部に表示するページを変更する処理を実行するアプリケーションを実現させるためのプログラムを提供する。
本発明によれば、記憶性を有する表示部を備える装置において消費電力が低いモードからユーザーの操作に応じて復帰する際に、操作に対応した画像を表示することができる。
【図面の簡単な説明】
【００１４】
【図１】本発明の一実施形態に係る表示装置１０を示した図。
【図２】表示装置１０のハードウェア構成を示した図。
【図３】画素への電圧印加と階調との関係を例示した図。
【図４】第１ＬＵＴ１０６１の内容の一例を示した図。
【図５】第２ＬＵＴ１０６２の内容の一例を示した図。
【図６】第１方法による階調変化を例示した図。
【図７】第２方法による階調変化を例示した図。
【図８】表示装置１０の機能ブロック図。
【図９】表示部１０７に表示される画面を例示した図。
【図１０】制御部１００が行う処理の流れを示したフローチャート。
【図１１】制御部１００が行う処理の流れを示したフローチャート。
【図１２】本発明の第２実施形態に係る表示装置１０Ａ、１０Ｂを示した図。
【発明を実施するための形態】
【００１５】
［実施形態］
図１は、本発明の一実施形態に係る表示装置１０を示した図である。表示装置１０は、電気泳動方式の表示デバイスを有しており、文書ファイルに対応する文書を表示する機能を有している。表示装置１０が処理可能な文書ファイルのフォーマットは、例えば、ＰＤＦ（Portable Document Format）であるが、このフォーマットに限定されるものではなく、他のフォーマットであってもよい。
表示装置１０は、画像の表示面に接触したスタイラスペンＰＥの座標を予め定められた周期で検出するセンサーを有している。表示装置１０は、センサーが検出した座標と表示されているユーザーインターフェースの画像とに基づいて、ユーザーの指示を特定し、ユーザーからの指示に応じた処理を実行する。また、表示装置１０は、表示装置１０を操作するためのボタンを有しており、操作されたボタンに応じた処理を実行する。
【００１６】
（表示装置１０の構成）
図２は、表示装置１０のハードウェア構成を示した図である。表示部１０７は、画素が複数行複数列で配列された電気泳動方式の電子ペーパーを有しており、多階調の画像（グレースケール）を表示する。電子ペーパーは、負に帯電している白の電気泳動粒子と、正に帯電している黒の電気泳動粒子とが収められた複数のマイクロカプセルを有する。マイクロカプセルは、電子ペーパーの表示面側にある透明な共通電極と、背面側にあり画素毎に設けられている画素電極とで挟持されている。共通電極の電位は一定であり、共通電極の一定の電位に対して正極性の電圧が画素電極に印加されると、正に帯電している黒の電気泳動粒子が表示面側に移動し、共通電極の電位に対して負極性の電圧が画素電極に印加されると、負に帯電している白の電気泳動粒子が表示面側に移動する。表示部１０７は、電力を供給しなくとも表示した画像を保持する表示部、即ち、記憶性を有する表示領域を備えた記憶性表示部の一例である。なお、表示部１０７は、電子粉粒体（登録商標）方式の電子ペーパーであってもよい。
【００１７】
図３は、表示部１０７の画素への電圧印加と電圧印加後の画素の階調との関係を例示する図である。図３において、横軸は電圧を印加したフレーム数を表し、縦軸は画素の階調を表す。「フレーム」とは電圧印加の単位期間であり、その長さは本実施形態においては、あらかじめ決められている。表示部１０７における最低階調は黒に相当し、最高階調は白に相当する。
【００１８】
例えば、最低階調の状態にある画素を最高階調の状態へ遷移させるため、画素へ電圧印加を行う場合を考える。まず、電圧印加前において画素の階調が黒である状態は、点Ｐ１０で表される。ここから１フレームの期間、所定の第１電圧（例えば−１５Ｖ）を画素電極へ印加すると、白の電気泳動粒子が表示面側へ移動し、画素の階調は少し明るくなり点Ｐ１１に遷移する。さらに１フレームの期間、第１電圧を印加すると、画素の階調はさらに明るくなり点Ｐ１２に遷移する。同様に第１電圧を印加していくと、画素の階調は点Ｐ１３〜点Ｐ２６の順に遷移する。点Ｐ２６は最高階調、すなわち白に相当する。この例では、第１電圧を１５フレームに渡って印加すると、画素の階調は黒から白に遷移する。
【００１９】
次に最高階調の状態にある画素を最低階調の状態へ遷移させるため、画素へ電圧印加を行う場合を考える。まず、電圧印加前において画素の階調が白である状態は、点Ｐ３０で表される。点Ｐ３０の状態から１フレームの期間、所定の第２電圧（例えば＋１５Ｖ）を画素電極へ印加すると、黒の電気泳動粒子が表示面側へ移動し、画素の階調は少し暗くなり点Ｐ３１に遷移する。さらに１フレームの期間、第２電圧を印加すると、画素の階調はさらに暗くなり点Ｐ３２遷移する。同様に第２電圧を印加していくと、画素の階調は点Ｐ３３〜点Ｐ４５の順に遷移する。点Ｐ４５は最低階調、すなわち黒に相当する。この例では、第２電圧を１５フレームに渡って印加すると、画素の階調は白から黒に遷移する。
【００２０】
図３に示したように、表示部１０７の画素は、白から黒に遷移するときと、黒から白に遷移するときとで異なる階調を経由する。例えば、最低階調の画素の電気泳動層へ第１電圧を６回印加すると点Ｐ１６の状態となるが、点Ｐ１６の状態から画素の電気泳動層へ第２電圧を６回印加しても画素の階調は点Ｐ１５、点Ｐ１４、点Ｐ１３、点Ｐ１２、点Ｐ１１、点Ｐ１０の順で遷移せず、点Ｐ１０の最低階調の状態には戻らない。このため、本実施形態では、中間調を表示する際には、１５フレームにわたる第１電圧の印加で画素を白にした後、表示する階調に応じた回数の第２電圧を印加して中間調を表示する。また、ある中間調から別の中間調へ階調を書き換える場合には、第２電圧を印加して画素を黒にした後、１５フレームにわたる第１電圧の印加で画素を白にし、表示する階調に応じた回数の第２電圧を印加して階調を書き換える。
【００２１】
センサー１０３は、スタイラスペンＰＥの先端の座標や筆圧を検出するセンサーである。なお、本実施形態のスタイラスペンＰＥやセンサー１０３は、例えば、特開２０１０−１１７９４３号公報に開示されている位置指示器や位置検出装置などの周知の構成を適用してもよい。センサー１０３は、表示部１０７の表示領域上にあるスタイラスペンＰＥの先端の座標と、スタイラスペンＰＥの先端にかかる圧力（筆圧）を周期的に検出する。センサー１０３が検出を行う周期は、数ｍｓｅｃから数十ｍｓｅｃの範囲内であり、本実施形態においては、１０ｍｓｅｃとなっている。センサー１０３は、検出した座標を示す第１データと、検出した圧力を示す第２データとを組にして制御部１００へ出力する。
【００２２】
バッファー１０５は、第１記憶領域１０５Ａと、第２記憶領域１０５Ｂとを有する。第１記憶領域１０５Ａは、表示部１０７に表示させる画面のデータを記憶する領域である。第１記憶領域１０５Ａは、表示部１０７の画素毎に記憶領域を有しており、各画素に対応する記憶領域には、画素の階調値を表すデータが制御部１００により書き込まれる。また、第２記憶領域１０５Ｂは、画面の書き換え前に表示部１０７に表示されていた画面のデータを記憶する領域である。第２記憶領域１０５Ｂは、表示部１０７の画素毎に画素の階調値を記憶する記憶領域を有しており、各画素の記憶領域には、画素の階調値を表すデータが制御部１００により書き込まれる。
【００２３】
コントローラー１０６は、表示部１０７を駆動する回路である。本実施形態においては、コントローラー１０６は、表示部１０７の駆動方法として、書き換え後に２階調の表示となる第１方法と、書き換え後に１６階調を表示できる第２方法とを有し、書き換える領域の内容に応じて第１方法と第２方法とを使い分ける。また、コントローラー１０６は、第１方法または第２方法で駆動するために、ＬＵＴ（Look Up Table）を有している。ＬＵＴは、各フレームにおいて印加すべき電圧を特定する情報を記憶したテーブルであり、第１方法に対応した第１ＬＵＴ１０６１と、第２方法に対応した第２ＬＵＴ１０６２とがある。
【００２４】
図４は、第１ＬＵＴ１０６１の内容の一例を示した図であり、図５は、第２ＬＵＴ１０６２の内容の一例を示した図である。これらのテーブルにおいて、現階調や次階調の列にある０〜１５の値は、画素の階調値を表している。また、これらのテーブルにおいて、「＋」は、１フレーム期間における画素電極への印加電圧を正極性の電圧（＋１５Ｖ）とすることを示し、「−」は、１フレーム期間における画素電極への印加電圧を負極性の電圧（−１５Ｖ）とすることを示している。また、フレーム番号の列にある「０」は、画素電極への印加電圧を共通電極と同電位とすることを示している。
【００２５】
コントローラー１０６は、バッファー１０５に記憶されているデータを取得し、取得したデータとＬＵＴとに基づいて、所定数のフレームについて、第１電圧（例えば−１５Ｖ）、第２電圧（例えば＋１５Ｖ）、およびディスチャージ（ゼロボルト）のいずれかの電圧を画素電極へ印加し、各画素を駆動する。画素の階調を変化させるために複数フレームにわたって画素電極へ印加する電圧のパターンは、書き換え前の画素の階調と次に表示する階調とに応じて異なる。画素電極へ印加する電圧のパターンは、印加する電圧の時間変化を示しているといえ、その意味で、以下においては印加する電圧のパターンを「駆動波形（Waveform）」という。
【００２６】
図６は、本実施形態において第１方法を用いて画素の階調を最低階調または最高階調にするときの階調変化を例示した図である。図６において、横軸はフレーム数を示し、縦軸は画素の階調を示す。コントローラー１０６は、第１方法で画素の階調を書き換える場合、まず、第１記憶領域１０５Ａから取得したデータを２値化する。具体的には、第１記憶領域１０５Ａから取得したデータの値が０〜７の場合、取得したデータの値を０とし、８〜１５の場合、取得したデータの値を１５とする。
【００２７】
コントローラー１０６は、２値化後のデータの値が０の場合、図４の（ａ）のテーブルを参照し、画素電極へ電圧を印加する。例えば、ある画素について、第２記憶領域１０５Ｂに格納されているデータの値が１５であり、２値化後のデータの値が０である場合、コントローラー１０６は、図４の（ａ）のテーブルにおいて現階調が「１５」の行を参照し、第１フレームから第１５フレームまで正極性の電圧を印加し、第１６フレームから第３０フレームまではディスチャージとする。これにより、図６において「●」で示したように、１フレームから１５フレームまでは画素の階調が順次暗くなり、１６フレーム以降は、最低階調を維持する。
【００２８】
また、コントローラー１０６は、２値化後のデータの値が１５の場合、図４の（ｂ）のテーブルを参照し、画素電極へ電圧を印加する。例えば、ある画素について、第２記憶領域１０５Ｂに格納されているデータの値が０であり、２値化後のデータの値が１５である場合、コントローラー１０６は、図４の（ｂ）のテーブルにおいて現階調が「０」の行を参照し、第１フレームから第１５フレームまでディスチャージとし、第１６フレームから第３０フレームまでは負極性の電圧を印加する。これにより、図６において「□」で示したように、１フレームから１５フレームまでは最低階調を維持し、１６フレームから３０フレームまでは、画素の階調が順次明るくなる。
【００２９】
次に、図７は、本実施形態において第２方法を用いて画素の階調を書き換えるときの階調変化を例示した図である。図７において、横軸はフレーム数を示し、縦軸は画素の階調を示す。コントローラー１０６は、第２方法で画素の階調を書き換える場合、まず、第１記憶領域１０５Ａと第２記憶領域１０５Ｂからデータを取得する。コントローラー１０６は、第１フレームから第３０フレームまでは、図５の（ａ）のテーブルを参照して画素電極へ電圧を印加し、第３１フレームから第４５フレームまでは、図５の（ｂ）のテーブルを参照して画素電極へ電圧を印加する。
【００３０】
例えば、ある画素について、第２記憶領域１０５Ｂに格納されているデータの値が１５であり、第１記憶領域１０５Ａに格納されているデータの値が０である場合、即ち、画素の階調を白から黒へ書き換える場合、コントローラー１０６は、図５の（ａ）のテーブルにおいて現階調が「１５」の行を参照し、第１フレームから第１５フレームまで正極性の電圧を印加し、第１６フレームから第３０フレームまでは負極性の電圧を印加する。また、コントローラー１０６は、第３１フレームから第４５フレームまでは、図５の（ｂ）のテーブルにおいて次階調が「０」の行を参照し、正極性の電圧を印加する。これにより、図７において「●」で示したように、１フレームから１５フレームまでは画素の階調が順次暗くなり、１６フレームから３０フレームまでは画素の階調が明るくなり、３１フレームから４５フレームまでは画素の階調が順次暗くなる。
【００３１】
また、例えば、ある画素について、第２記憶領域１０５Ｂに格納されているデータの値が１５であり、第１記憶領域１０５Ａに格納されているデータの値が７である場合、即ち、書き換え前に白である画素の階調を中間調へ書き換える場合、コントローラー１０６は、図５の（ａ）のテーブルにおいて現階調が「１５」の行を参照し、第１フレームから第１５フレームまで正極性の電圧を印加し、第１６フレームから第３０フレームまでは負極性の電圧を印加する。また、コントローラー１０６は、図５の（ｂ）のテーブルにおいて次階調が「７」の行を参照し、第３１フレームから第３８フレームまでは正極性の電圧を印加し、第３９フレームから第４５フレームまではディスチャージとする。これにより、図７に示したように、第３８フレームまでは、画素の階調を白から黒へ書き換える場合と同様に階調が変化し、第３９フレーム以降は、「□」で示したように中間調が維持される。
【００３２】
第１方法による画素の駆動と第２方法による画素の駆動とを比較すると、図６、７に示したように、第１方法における駆動波形は、階調を変化させるためのフレーム数が第２方法より少ないため、第１方法では、第２方法より速く画面が書き換えられる。
【００３３】
記憶部１０２は、不揮発性メモリーを有しており、文書ファイルを記憶する。また、記憶部１０２は、文書ファイルに対応する文書を表示するアプリケーションプログラムＡ１（以下、第１アプリＡ１とする）を記憶している。
【００３４】
操作部１０１は、表示装置１０を操作するための複数のボタンを有しており、表示部１０７に表示された文書のページ送りを行う際に用いられるボタン１０１Ａとボタン１０１Ｂとを有する。また、操作部１０１は、表示装置１０の電源をオンまたはオフにするボタンを有している。
通信部１０８は、無線通信を行う通信インターフェースである。通信部１０８は、無線ＬＡＮ（Local Area Network）の通信規格に従った通信を行い、他の装置への情報の送信や、他の装置から送信された情報の受信を行う。
【００３５】
制御部１００は、ＣＰＵ（Central Processing Unit）、ＲＯＭ（Read Only Memory）、ＲＡＭ（Random Access Memory）を備えたマイクロコンピューターである。ＣＰＵがＲＯＭに記憶されているプログラム読み出し、読み出したプログラムを、ＲＡＭを作業領域として実行すると、表示装置１０のオペレーティングシステムが動作し、アプリケーションプログラムの実行が可能となる。本実施形態では、オペレーティングシステムがＡｎｄｒｏｉｄ（登録商標）である場合を想定して説明を行うが、動作するオペレーティングシステムは他のオペレーティングシステムであってもよい。
【００３６】
図８は、表示装置１０の機能を示した機能ブロック図である。本実施形態においては、オペレーティングシステムＯＳが動作し、オペレーティングシステムＯＳ上でアプリケーションプログラムが動作する。オペレーティングシステムＯＳは、ファイルの処理やハードウェアの制御など基本的な処理を行う。オペレーティングシステムＯＳが動作すると、表示部１０７やコントローラー１０６への電力供給を停止して消費電力を抑えることが可能となる。また、オペレーティングシステムＯＳ上で第１アプリＡ１が動作すると、文書ファイルに対応する文書を表示することや、表示された文書のページ送りを行うことが可能となる。
【００３７】
また、オペレーティングシステムＯＳは、各種データをアプリケーションプログラムへ送る。例えば、オペレーティングシステムＯＳは、センサー１０３から供給される第１データと第２データとを取得する。オペレーティングシステムＯＳは、取得した第１データと第２データを第１アプリＡ１へ送る。
【００３８】
また、オペレーティングシステムＯＳは、取得した第２データに基づいて発行したイベントを第１アプリＡ１へ送り、押下されたボタンに応じて発行したイベントを第１アプリＡ１へ送る。例えば、オペレーティングシステムＯＳは、操作部１０１が有するボタン１０１Ａが押下された場合、ボタン１０１Ａが押下されたことを通知する第１イベントを発行し、ボタン１０１Ｂが押下された場合、ボタン１０１Ｂが押下されたことを通知する第２イベントを発行する。また、オペレーティングシステムＯＳは、電源ボタンが押下された場合、電源ボタンが押下されたことを示すイベントを発行する。
また、オペレーティングシステムＯＳは、センサー１０３から送られた第２データに基づいてペンの動作に係るイベントを発生する。例えば、第２データの内容が接触無しから接触有りに変化した場合、スタイラスペンＰＥが表示部１０７に接触したことを通知するペンタッチイベントを発行し、第２データの内容が接触有りから接触無しに変化した場合、スタイラスペンＰＥが表示部１０７から離れたことを通知するペンリリースイベントを発行する。また、オペレーティングシステムＯＳは、センサー１０３から新たに送られた第２データの内容と、新たに送られた第２データより一つ前に送られた第２データの内容がいずれも接触有りである場合、スタイラスペンＰＥが接触していることを通知するペン接触イベントを発行する。オペレーティングシステムＯＳが発行したイベントは、アプリケーションプログラムへ送られる。
【００３９】
（実施形態の動作例）
次に本実施形態の動作例について、図９〜１１を用いて説明する。
まず、文書を表示部１０７に表示させるときの動作例について説明する。表示装置１０のユーザーが、記憶部１０２に記憶されている文書ファイルを開く操作を行うと、第１アプリＡ１は、記憶部１０２から文書ファイルを取得する。また、第１アプリＡ１は、第１記憶領域１０５Ａに記憶されているデータを第２記憶領域１０５Ｂへコピーする。第１アプリＡ１は、文書ファイルに基づいて、表示部１０７に表示するページの画面をラスタライズする。ここで第１アプリＡ１は、表示する画面がとり得る階調数が１６である場合、減色処理を施し、表示するページを構成する画素の階調データの値を、最低階調の値から最高階調の値のいずれかの値にする。第１アプリＡ１は、ラスタライズが終了すると、各画素の階調値のデータ（階調データ）を第１記憶領域１０５Ａへ書き込む。
【００４０】
次に、第１アプリＡ１は、画面の書き換えをコントローラー１０６へ指示する。ここで、第１アプリＡ１は、表示部１０７の駆動方法として第１方法を選択している場合には、第１方法で駆動するように指示する第１指示をコントローラー１０６へ出力し、表示部１０７の駆動方法として第２方法を選択している場合には、第２方法で駆動するように指示する第２指示をコントローラー１０６へ出力する。これらの指示は、オペレーティングシステムＯＳを介してコントローラー１０６へ送られる。
【００４１】
コントローラー１０６は、第１指示を取得すると、第１記憶領域１０５Ａおよび第２記憶領域１０５Ｂへ書き込まれた階調データと、第１ＬＵＴ１０６１とに基づいて第１方法で表示部１０７を駆動する。ここで、コントローラー１０６は、第１ＬＵＴ１０６１を用いて画素を駆動するため、表示部１０７の画面は、３０フレームで書き換えが完了する。
一方、コントローラー１０６は、第２指示を取得すると、第１記憶領域１０５Ａおよび第２記憶領域１０５Ｂへ書き込まれた階調データと、第２ＬＵＴ１０６２とに基づいて第２方法で表示部１０７を駆動する。ここで、コントローラー１０６は、第２ＬＵＴ１０６２を用いて画素を駆動するため、表示部１０７の画面は、４５フレームで書き換えが完了する。表示部１０７の画面の書き換えが終了すると、例えば、図９に例示したように文書のページと、文書をスクロールさせるためのスクロールバーＢ１が表示される。
【００４２】
第１アプリＡ１は、第１指示または第２指示を出力すると、表示装置１０を第１の低消費電力モード（第１モード）にする。また、オペレーティングシステムＯＳは、ユーザーの操作が行われてから所定時間が経過するまでの間にユーザーの操作が行われなかった場合、表示装置１０を第２の低消費電力モード（第２モード）にする。また、オペレーティングシステムＯＳは、低消費電力モードではない通常モード（第３モード）であるとき、または第１の低消費モードであるときに電源ボタンが押下された場合、表示装置１０を第２の低消費電力モードにする。
【００４３】
ここで、第２の低消費電力モードは、第１の低消費電力モードより消費電力が少ないモードである。例えば、第１の低消費電力モードは、コントローラー１０６および表示部１０７への電力供給を停止するモードであり、第２の低消費電力モードは、コントローラー１０６、表示部１０７、バッファー１０５、記憶部１０２、センサー１０３、通信部１０８への電力供給を停止するモードである。また、通常モードは、記憶部１０２、センサー１０３、バッファー１０５、コントローラー１０６、表示部１０７および通信部１０８へ電力を供給するモードである。
【００４４】
オペレーティングシステムＯＳは、モードが第１の低消費電力モードまたは第２の低消費電力モードへ移行すると、図１０に示した処理を実行する。まず、オペレーティングシステムＯＳは、低消費電力モードが第１の低消費電力モードと第２の低消費電力モードのいずれであるか判断する。
【００４５】
オペレーティングシステムＯＳは、低消費電力モードが第１の低消費電力モードの場合（ステップＳＡ１でＹＥＳ）、選択している駆動方法が第１の駆動方法であるか判断する。オペレーティングシステムＯＳは、選択している駆動方法が第１方法の場合（ステップＳＡ７でＹＥＳ）、画面の書き換えの待ち時間であるwait_timeをＴ１に設定する（ステップＳＡ８）。ここで、Ｔ１は、コントローラー１０６が第１方法で画面の書き換えを開始してから終了するまでにかかる時間（書き換え時間）であり、本実施形態においては、３００ｍｓｅｃとなっている。
また、オペレーティングシステムＯＳは、選択している駆動方法が第２方法の場合（ステップＳＡ７でＮＯ）、画面の書き換えの待ち時間であるwait_timeをＴ２に設定する（ステップＳＡ９）。ここで、Ｔ２は、コントローラー１０６が第２方法で画面の書き換えを開始してから終了するまでにかかる時間（書き換え時間）であり、本実施形態では、４５０ｍｓｅｃとなっている。
【００４６】
オペレーティングシステムＯＳは、wait_timeの設定が終了すると、設定したwait_timeの時間が経過するのを待つ（ステップＳＡ１０）。オペレーティングシステムＯＳは、設定したwait_timeの時間が経過すると、第１のグループに属するハードウェアへの電力供給を停止する（ステップＳＡ１１）。本実施形態においては、第１のグループに属するハードウェアは、コントローラー１０６および表示部１０７である。
【００４７】
一方、オペレーティングシステムＯＳは、低消費電力モードが第２の低消費電力モードの場合（ステップＳＡ１でＮＯ）、まず、onPause（）のコールバックメソッドを呼び出し（ステップＳＡ２）、次にonStop（）のコールバックメソッドを呼び出す（ステップＳＡ３）。第１アプリＡ１は、各メソッドの呼び出しに応じて、onPause（）のメソッドとonStop（）のメソッドの処理を実行する。
【００４８】
次にオペレーティングシステムＯＳは、第２の低消費電力モードであることを示す所定画面を表示する処理を実行する（ステップＳＡ４）。具体的には、オペレーティングシステムＯＳは、第１のグループに属するハードウェアへ電力を供給した後、第１記憶領域１０５Ａのデータを第２記憶領域１０５Ｂへコピーする。次にオペレーティングシステムＯＳは、所定画面をラスタライズして得た階調データを第１記憶領域１０５Ａに書き込み、第１指示または第２指示をコントローラー１０６へ送る。なお、所定画面は、文字、写真、図形などを含む画面であってもよく、また、全画素を白または黒にした画面であってもよい。オペレーティングシステムＯＳは、第１指示または第２指示を送ってから所定時間が経過するのを待つ（ステップＳＡ５）。ここでの待ち時間は、コントローラー１０６へ送った指示が第１指示の場合には上述したＴ１であり、コントローラー１０６へ送った指示が第２指示の場合には上述したＴ２である。オペレーティングシステムＯＳは、ステップＳＡ５の処理が終了すると、第１のグループに属するハードウェアと、第２のグループに属するハードウェアへの電力供給を停止させる（ステップＳＡ６）。ここで第２のグループに属するハードウェアは、バッファー１０５、記憶部１０２、センサー１０３、通信部１０８である。
【００４９】
本実施形態によれば、表示装置１０は、第１アプリＡ１により文書のページを表示した後、画面の書き換えが完了する時間が経過した後で第１のグループに属するハードウェアへの電力供給を停止する。画面の書き換えが完了するまでは、第１のグループに属するハードウェアへの電力供給が停止されないため画面が正しく表示される。また、画面の書き換えが完了すると、第１のグループに属するハードウェアへの電力供給が停止されるので、電力の消費を抑えることができる。
また、本実施形態によれば、ユーザーの操作が行われてから所定時間が経過するまでの間にユーザーの次の操作が行われなかった場合や、操作部１０１が有する電源ボタンが押下された場合、第２の低消費電力モードであることを示す所定の画面を表示するので、第２の低消費電力モードに移行したことをユーザーに知らせることができる。また、第２の低消費電力モードとなった場合、第１のグループと第２のグループに属するハードウェアへの電力供給が停止されるので、電力の消費を抑えることができる。
【００５０】
次に、第１または第２の低消費電力モードから通常モードへ移行する場合の動作例について説明する。オペレーティングシステムＯＳは、第１の低消費電力モードであるときにボタン１０１Ａまたはボタン１０１Ｂが押下された場合、または第２の低消費電力モードであって第１アプリＡ１が破棄されていない状態で電源ボタンが押された場合、図１１に示した処理を実行する。具体的には、まず、第１のグループと第２のグループに属するハードウェアへ電力を供給する（ステップＳＢ１）。
【００５１】
次にオペレーティングシステムＯＳは、低消費電力モードが第１の低消費電力モードと第２の低消費電力モードのいずれであるか判断する。オペレーティングシステムＯＳは、低消費電力モードが第１の低消費電力モードである場合（ステップＳＢ２でＹＥＳ）、まず、通常モードへ移行する（ステップＳＢ９）。次にオペレーティングシステムＯＳは、押下されたボタンを判断する。オペレーティングシステムＯＳは、押下されたボタンがボタン１０１Ａである場合には（ステップＳＢ１０でＹＥＳ）、第１イベントを第１アプリＡ１へ発行し（ステップＳＢ１１）、ボタン１０１Ｂが押下された場合には（ステップＳＢ１０でＮＯ）、第２イベントを第１アプリＡ１へ発行する（ステップＳＢ１２）。
【００５２】
第１アプリＡ１は、第１イベントを取得すると、表示しているページよりページ番号が一つ後のページの画面をラスタライズし、第１記憶領域１０５Ａの階調データを第２記憶領域１０５Ｂへコピーし、ラスタライズで得た各画素の階調データを第１記憶領域１０５Ａへ書き込む。一方、第１アプリＡ１は、第２イベントを取得すると、表示しているページよりページ番号が一つ前のページの画面をラスタライズし、第１記憶領域１０５Ａの階調データを第２記憶領域１０５Ｂへコピーし、ラスタライズで得た各画素の階調データを第１記憶領域１０５Ａへ書き込む。
【００５３】
次に、第１アプリＡ１は、選択している駆動方法に応じて第１指示または第２指示をコントローラー１０６へ送る。第１指示または第２指示を取得したコントローラー１０６が表示部１０７を駆動すると、押下されたボタンがボタン１０１Ａである場合には表示されていたページよりページ番号が一つ後のページが表示され、押下されたボタンがボタン１０１Ｂである場合には表示されていたページよりページ番号が一つ前のページが表示される。
【００５４】
一方、オペレーティングシステムＯＳは、低消費電力モードが第２の低消費電力モードである場合（ステップＳＢ２でＮＯ）、まず、通常モードへ移行し（ステップＳＢ３）、次に、表示している所定画面をラスタライズし、所定画面の各画素の階調データを第２記憶領域１０５Ｂへ書き込む（ステップＳＢ４）。次にオペレーティングシステムＯＳは、ステップＳＢ５でonRestart()のコールバックメソッドを呼び出した後、ステップＳＢ６でonStart()のコールバックメソッドを呼び出し、ステップＳＢ７でonResume()のコールバックメソッドを呼び出す。また、オペレーティングシステムＯＳは、電源ボタンが押下されたことを示すイベントを第１アプリＡ１へ発行する（ステップＳＢ８）。
【００５５】
第１アプリＡ１は、このイベントを取得すると、第２の低消費電力モードになる前に表示していたページの画面をラスタライズし、ラスタライズしたページの画面の各画素の階調データを第１記憶領域１０５Ａへ書き込む。次に、第１アプリＡ１は、選択している駆動方法に応じて第１指示または第２指示をコントローラー１０６へ送る。第１指示または第２指示を取得したコントローラー１０６が表示部１０７を駆動すると、所定画面から画面が書き換えられ、第２の低消費電力モードになる前に表示していた画面が表示される。
【００５６】
以上説明したように本実施形態においては、表示部１０７への電力供給を停止した第１の低消費電力モードのときに、表示するページを変更する操作が行われると、表示していた画面を再表示する処理が行われないため、電力の消費を抑えることができる。また、本実施形態においては、第２の低消費電力モードとなっている場合には、電源ボタンが押されると、表示が所定の画面から第２の低消費電力モードになる前の画面に書き換えられるため、低消費電力モードから通常モードに戻ったことをユーザーに知らせることができる。
【００５７】
［第２実施形態］
次に本発明の第２実施形態について説明する。図１２は、本発明の一実施形態に係る表示システム１を構成する装置を示した図である。本発明の第２実施形態に係る表示システム１は、表示装置１０Ａと表示装置１０Ｂとを有する。表示装置１０Ａ、１０Ｂのハードウェア構成は、第１実施形態の表示装置１０と同じである。但し、表示装置１０Ａ、１０Ｂは、表示装置１０が有する機能に加えて、表示を同期させる機能を有しており、表示装置１０Ｂは、表示装置１０Ａから送信される情報に基づいて画面を表示し、表示する画面を表示装置１０Ａに表示された画面に同期させる。
【００５８】
次に、第２実施形態の動作例について説明する。なお、以下の説明においては、表示装置１０Ａ、１０Ｂには同じ文書ファイルが記憶されている場合を想定して動作例の説明を行う。
まず、表示装置１０Ａのユーザーが、記憶部１０２に記憶されている文書ファイルを開く操作を行うと、第１実施形態と同様に表示装置１０Ａにおいては、文書のページと、文書をスクロールさせるためのスクロールバーＢ１が表示される。表示装置１０Ａは、文書の表示が終了すると、表示されている文書の文書ファイル名と、表示されている文書のページ番号とを含み、画面の同期を指示する同期指示を表示装置１０Ｂへ送信する。
表示装置１０Ｂは、同期指示を受信すると、同期指示に含まれている文書ファイル名の文書ファイルを記憶部１０２から取得し、同期指示に含まれているページ番号のページをラスタライズし、当該ページを表示部１０７に表示する。ここで、表示装置１０Ｂにおいては、表示装置１０Ａに表示されている画面と同じ画面が表示される。表示装置１０Ａ、１０Ｂは、画面の表示が完了すると第１の低消費電力モードへ移行する。
【００５９】
次に表示装置１０Ａのユーザーが、ボタン１０１Ａまたはボタン１０１Ｂを押下すると、表示装置１０Ａは、通常モードへ移行し、表示されていたページよりページ番号が一つ後または一つ前のページを表示する。また、表示装置１０Ａは、表示されている文書の文書ファイル名と、表示したページのページ番号とを含み、画面の同期を指示する同期指示を表示装置１０Ｂへ送信する。
【００６０】
表示装置１０Ｂは、同期指示を受信したときに、第１の低消費電力モードである場合、第１、第２のグループに属するハードウェアに電力を供給し、通常モードへ移行する。また、表示装置１０Ｂは、第１記憶領域１０５Ａにあるデータを第２記憶領域１０５Ｂへコピーした後、書き換え指示に含まれている文書ファイル名とページ番号により表示するページを特定し、特定したページの画面のデータを第１記憶領域１０５Ａへ書き込む。表示装置１０Ｂにおいて、コントローラー１０６が表示部１０７を駆動すると、表示装置１０Ａに表示されたページと同じページが表示装置１０Ｂにおいて表示される。
【００６１】
以上説明したように本実施形態によれば、低消費電力モードになっていても、低消費電力モードから通常モードへ移行し、一方の表示装置で表示された画面を他方の表示装置にも表示させることができる。
【００６２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００６３】
上述した実施形態においては、第１の低消費電力モードへ移行する際にステップＳＡ７〜ステップＳＡ１１の処理をオペレーティングシステムＯＳが行っているが、この構成に限定されるものでない。例えば、第１アプリＡ１は、第１指示または第２指示を出力してから表示装置１０を第１の低消費電力モードにした後、ステップＳＡ７〜ステップＳＡ１１の処理を実行するようにしてもよい。
また、上述した実施形態においては、第２の低消費電力モードへ移行する際にステップＳＡ４〜ステップＳＡ６の処理をオペレーティングシステムＯＳが行っているが、この構成に限定されるものでない。例えば、onPause()またはonStop()のメソッド内においてステップＳＡ４〜ステップＳＡ６の処理を行うようにしてもよい。
また、上述した実施形態においては、第１の低消費電力モードのときにボタン１０１Ａまたはボタン１０１Ｂが押下されると、オペレーティングシステムＯＳがステップＳＢ９で通常モードへ移行させているが、この構成に限定されるものではない。
例えば、オペレーティングシステムＯＳは、第１の低消費電力モードのときにボタン１０１Ａまたはボタン１０１Ｂが押下されると、ステップＳＢ５〜ステップＳＢ７の処理を実行し、onRestart()、onStart()、onResume()のいずれかの関数の中でモードを通常モードへ移行させるようにしてもよい。
また、上述した実施形態においては、第２の低消費電力モードのときに電源ボタンが押下されると、オペレーティングシステムＯＳがステップＳＢ３でモードを通常モードへ移行させているが、第１アプリＡ１がonRestart()、onStart()、onResume()のいずれかの関数内において、モードを通常モードへ移行させ、第２の低消費電力モードへ移行するときに表示されていた画面を表示するようにしてもよい。
【００６４】
上述した実施形態においては、第１の低消費電力モードであるときにボタン１０１Ａまたはボタン１０１Ｂが操作されると通常モードに復帰するが、他のボタンを操作されたときやスタイラスペンＰＥに関係するイベントが発行されたときにも第１のグループに属するハードウェアへ電力を供給し、第１の低消費電力モードから通常モードへ移行するようにしてもよい。
【００６５】
上述した実施形態においては、操作部１０１のボタン１０１Ａまたはボタン１０１Ｂを操作すると第１の低消費電力モードから通常モードに移行しているが、第１の低消費電力モードから通常モードに移行する構成は、この構成に限定されるものではない。例えば、ボタン１０１Ａに対応するソフトウェアキーと、ボタン１０１Ｂに対応するソフトウェアキーとを表示し、これらのソフトウェアキーがスタイラスペンＰＥでタップされると、第１の低消費電力モードから通常モードに移行し、第１のグループに属するハードウェアへ電力を供給し、表示するページを書き換えるようにしてもよい。
【００６６】
上述した実施形態においては、画面を書き換えてから所定時間が経過すると通常モードから第１の低消費電力モードへ移行しているが、通常モードから第１の低消費電力モードへ移行する構成は、この構成に限定されるものではない。例えば、オペレーティングシステムＯＳは、第１アプリＡ１によるＣＰＵの使用率が所定の閾値以下となった場合、通常モードから第１の低消費電力モードへ移行するようにしてもよい。
【００６７】
上述した実施形態においては、第１の低消費電力モードに移行するときにコントローラー１０６および表示部１０７への電力供給を停止しているが、この構成に限定されるものではなく、例えば、バッファー１０５に対しても電力供給を停止するようにしてもよい。
なお、この変形例においては、バッファー１０５への電力供給を停止する前に第２記憶領域１０５Ｂに記憶されていたデータを記憶部１０２へ記憶させ、バッファー１０５への電力供給を再開するときには記憶部１０２へ記憶させたデータを第２記憶領域１０５Ｂへ書き込むようにしてもよい。
【００６８】
上述した実施形態においては、第２の低消費電力モードのときは所定画面を表示する構成となっているが、この構成に限定されるものではない。例えば、第２の低消費電力モードに移行したときは、表示していたページを残しつつ、表示領域の一部に第２の低消費電力モードであることを示す画像を表示するようにし、第２の低消費電力モードから通常モードに移行したときは、第２の低消費電力モードであることを示す画像を消去するようにしてもよい。
【００６９】
上述した実施形態においては、ページを送る操作がされると、ページが１ページ分だけ送られて画面に表示されるが、送られるページは１ページ分に限定されるものではない。例えば、スクロールバーＢ１のつまみの部分を移動させる操作が行われた場合、つまみの移動量に応じた分だけページを送り、新たなページを表示するようにしてもよい。
【００７０】
上述した実施形態においては、一つのフレーム期間においては、第１電圧または第２電圧の一方のみが印加される片極駆動の構成となっているが、一つのフレーム期間において第１電圧と第２電圧の両方を印加できる両極駆動の構成としてもよい。
【００７１】
表示装置１０が実行するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリーなどのコンピューター読取り可能な記録媒体に記憶した状態で提供し、インストールしてもよい。また、通信回線を介してプログラムをダウンロードしてインストールしてもよい。
【符号の説明】
【００７２】
１０、１０Ａ、１０Ｂ…表示装置、１００…制御部、１０１…操作部、１０１Ａ、１０１Ｂ…ボタン、１０２…記憶部、１０３…センサー、１０５…バッファー、１０５Ａ…第１記憶領域、１０５Ｂ…第２記憶領域、１０６…コントローラー、１０７…表示部、１０８…通信部、１０６１…第１ＬＵＴ、１０６２…第２ＬＵＴ、Ａ１…第１アプリ、ＯＳ…オペレーティングシステム、ＰＥ…スタイラスペン
【図１】
2015222325.tif 000003
【図２】
2015222325.tif 000004
【図３】
2015222325.tif 000005
【図４】
2015222325.tif 000006
【図５】
2015222325.tif 000007
【図６】
2015222325.tif 000008
【図７】
2015222325.tif 000009
【図８】
2015222325.tif 000010
【図９】
2015222325.tif 000011
【図１０】
2015222325.tif 000012
【図１１】
2015222325.tif 000013
【図１２】
2015222325.tif 000014